(57)【要約】【課題】配線体の外部導体とシールド部材との電気的接続を安定化することができる配線体の接続構造を提供する。【解決手段】中心導体と外部導体との間に絶縁体が介在されてなる配線体の前記中心導体に接続された端子と、該端子を包囲して前記外部導体に電気的に接続されたシールド部材とを備えた配線体の端末構造において、前記シールド部材は複数の導電性部品で構成され、各導電性部品は前記外部導体に圧着される外部導体圧着部を有し、各導電性部品の該外部導体圧着部は前記外部導体上に重ね合わされた状態で圧着されているものとする。この配線体の端末構造を絶縁性のハウジングに収容してシールドコネクタとすることもできる。【選択図】  図１
2004172029.tif 000002
【特許請求の範囲】
【請求項１】
中心導体と外部導体との間に絶縁体が介在されてなる配線体の前記中心導体に接続された端子と、該端子を包囲して前記外部導体に電気的に接続されたシールド部材とを備えた配線体の端末構造において、
前記シールド部材は複数の導電性部品で構成され、各導電性部品は前記外部導体に圧着される外部導体圧着部を有し、各導電性部品の該外部導体圧着部は前記外部導体上に重ね合わされた状態で圧着されていることを特徴とする配線体の端末構造。
【発明の詳細な説明】
【０００１】
【発明の属する技術分野】
本発明は、配線体の端末構造に関する。具体的には、端子を包囲して外部導体に電気的に接続されたシールド部材を備えてなる配線体の端末構造に関する。
【０００２】
【従来の技術】
中心導体と外部導体との間に絶縁体が介在されてなる配線体、例えばシールドケーブルを接続するために、シールド構造のコネクタ（本明細書では「シールドコネクタ」と表記する。）を用いることが一般的である。
【０００３】
シールドコネクタの例として、端子を含む配線体の端末部と、該端末部の外周に取り付けられたハウジングと、該ハウジングの外周に取り付けられ前記外部導体と電気的に接続されているシールド部材（金属シェル）と、該金属シェルの外周に取り付けられたカバーとを備えたものが知られている（特許文献１参照）。
【０００４】
【特許文献１】特開平１０−３１２８５７号公報（２ページ２欄１５行〜３ページ３欄３０行、図１〜図６参照）
【０００５】
【発明が解決しようとする課題】
しかし、前述の特許文献１に記載された技術は、金属シェルの圧着部をシールドケーブルの外部導体に直接圧着しているので、外部導体の内側の絶縁体に必要以上に圧力がかからないように圧着部のかしめ強度を調整する必要があり、シールドケーブルの絶縁体の材質によっては、圧着部と外部導体との電気的接続が不安定になりやすい問題点を有する。
【０００６】
そこで、本発明では、配線体の外部導体とシールド部材との電気的接続を安定化することができる配線体の接続構造を提供することを目的とする。
【０００７】
【課題を解決するための手段】
請求項１の発明は、中心導体と外部導体との間に絶縁体が介在されてなる配線体の前記中心導体に接続された端子と、該端子を包囲して前記外部導体に電気的に接続されたシールド部材とを備えた配線体の端末構造において、前記シールド部材は複数の導電性部品で構成され、各導電性部品は前記外部導体に圧着される外部導体圧着部を有し、各導電性部品の該外部導体圧着部は前記外部導体上に重ね合わされた状態で圧着されていることを特徴とする。
【０００８】
【発明の実施の形態】
本発明の実施形態を、図面を用いて説明する。
【０００９】
図１は、本発明の配線体の端末構造の一例を概略的に示す側面図である。図２は、導電性部品の一例を示す図であり、（イ）は正面図、（ロ）は右側面図である。図３は、図２とは異なる導電性部品の一例を示す図であり、（イ）は正面図、（ロ）は右側面図である。
【００１０】
図１において、シールド部材１はシールドケーブル端末部１０に取り付けられている。また、シールドケーブル端末部１０は、内側から中心導体１１、絶縁体１２、外部導体１３、外被１４の順に各部が露出された配線体の中心導体１１に端子１５が電気的に接続されてなるものである。
【００１１】
シールド部材１は、図２に示される第１の導電性部品２と、図３に示される第２の導電性部品３とにより構成される。シールド部材１は、シールドケーブル端末部１０の端子１５を包囲するように設けられている。
【００１２】
図２に示されるように、第１の導電性部品２は、外部導体圧着部２１と、本体部２２と、本体部２２の側面部２３と、側面部２３の外側に間隔をおいて設けられた突起部２４とが一体に形成されたものである。また、図３に示されるように、第２の導電性部品３は、外部導体圧着部３１と、外被圧着部３２と、本体部３３と、本体部３３の側面部３４と、側面部３４の外側に間隔をおいて設けられた突起部３５とが一体に形成されたものである。
【００１３】
また、シールド部材１とシールドケーブル端末部１０の外部導体１３との電気的接続は、外部導体１３の外側に第１の導電性部品２の外部導体圧着部２１を配置し、さらにその外側に第２の導電性部品３の外部導体圧着部３１を配置した後、外部導体圧着部３１の外側から圧力を加えて圧着することにより行われる。
【００１４】
このようにシールド部材１とシールドケーブル端末部１０の外部導体１３との電気的接続を図ることで、第２の導電性部品３の外部導体圧着部３１に加えられた圧力が第１の導電性部品２の外部導体圧着部２１を介して間接的にシールドケーブル端末部１０の外部導体１３に加わるため、外部導体１３の内側の絶縁体１２に必要以上に圧力がかかることがなく、外部導体１３とシールド部材１との電気的接続が安定した配線体の端末構造を得ることができる。
【００１５】
ここで、シールドケーブル端末部１０の外部導体１３の外側に第１の導電性部品２の外部導体圧着部２１を配置してその外側から圧力を加えて圧着し、その後第２の導電性部品３の外部導体圧着部３１を配置してその外側から圧力を加えて圧着するようにしてもよい。この場合、導電性部品２の外部導体圧着部２１を外部導体１３に圧着する際の圧力は比較的小さくすることができ、外部導体１３の内側の絶縁体１２に必要以上に圧力がかかることがなく、したがって外部導体１３とシールド部材１との電気的接続が安定した配線体の端末構造を得ることができる。
【００１６】
なお、シールド部材１を構成する各導電性部品の電気的接続、すなわち第１の導電性部品２と第２の導電性部品３との電気的接続は、下記の箇所で行われる。
【００１７】
（１）第１の導電性部品２の突起部２４と第２の導電性部品３の側面部３３の内面との接触箇所、（２）第１の導電性部品２の側面部２２の外面と第２の導電性部品３の突起部３５との接触箇所、（３）第１の導電性部品２の外部導体圧着部２１と第２の導電性部品３の外部導体圧着部３１との接触箇所。
【００１８】
また、上記配線体の端末構造は、これを絶縁性のハウジングに収容してシールドコネクタとすることができる。このシールドコネクタは、上記配線体の端末構造を用いるため、シールド部材１とシールドケーブル端末部１０の外部導体１３との電気的接続が安定したものとなる。
【００１９】
例えば、図１の配線体の端末構造を絶縁性のハウジングに収容する場合、シールド部材１の内側にシールドケーブル端末部１０の端子を包囲するように内側ハウジングを設け、シールド部材１の外側を包囲するように外側ハウジングを設けることができる。ここで、内側ハウジングの先端面は、端子１５の先端より相手側コネクタ方向に突出していることが、シールドコネクタの絶縁性能を向上させる観点から望ましい。
【００２０】
以上、本発明の実施形態を説明したが、上記実施形態はあくまでも本発明の実施形態の一例を示すものであり、本発明の実施形態は、特許請求の範囲に記載された事項の範囲内で適宜変更が可能であることはいうまでもない。
【００２１】
【発明の効果】
以上のとおり、本発明によれば、中心導体と外部導体との間に絶縁体が介在されてなる配線体の接続に用いられ、前記中心導体に接続された端子と前記外部導体に電気的に接続されるシールド部材とを備えた配線体の端末構造において、前記シールド部材は複数の導電性部品で構成され、各導電性部品は前記外部導体に圧着される外部導体圧着部を有し、各導電性部品の該外部導体圧着部は前記外部導体に一括して圧着されるようにしたので、配線体の外部導体とシールド部材との電気的接続が安定した配線体の端末構造を得ることができる。
【図面の簡単な説明】
【図１】本発明の配線体の端末構造の一例を概略的に示す側面図である。
【図２】導電性部品の一例を示す図であり、（イ）は正面図、（ロ）は右側面図である。
【図３】図２とは異なる導電性部品の一例を示す図であり、（イ）は正面図、（ロ）は右側面図である。
【符号の説明】
１  シールド部材
２  第１の導電性部品
３  第２の導電性部品
１０  シールドケーブル端末部
１１  中心導体
１２  絶縁体
１３  外部導体
１４  外被
１５  端子
２１、３１  外部導体圧着部
２２、３３  本体部
２３、３４  側面部
２４、３５  突起部
３２  外被圧着部
【図１】
2004172029.tif 000003
【図２】
2004172029.tif 000004
【図３】
2004172029.tif 000005